(57)【要約】      （修正有）【課題】簡易な操作で球体部の高さを調節できるゴルフ練習器のボール高さ調節装置を提供する。【解決手段】外周壁に係合突起を形成したスリーブ11を内部に形成し、上面壁には中央に貫通孔22を穿設した嵌合溝21を形成し、かつ側面に貫通孔23を穿設してなるハウジングと、ゴルフ練習器に回動自在に設けられる円盤部の上面中央に中空の第１円筒状部31とその上の第２円筒状部35とを一体に成型し、該第１円筒状部は側面に孔部を穿設し、円周上の対向する位置にそれぞれスライド溝33を形成し、かつ上端面に嵌合部を形成し、該第２円筒状部は下端縁部に螺刻し、円周上の対向する位置にそれぞれ第１位置決め溝351、第２位置決め溝352、第３位置決め溝353及び第４位置決め溝354を形成してなる回転盤30と、一端に球体部を設け、他端に貫通孔を穿設してなるアーム40と、該回転盤の第１円筒状部の底端部に嵌挿するベアリング50とによって構成する。【選択図】図１
0003102759.tif 000002
【実用新案登録請求の範囲】
【請求項１】
半球状を呈し、内側にスリーブを一体に形成してなり、該スリーブには、外周壁に係合突起を形成してなる高さ調節ダイヤルと、
上面壁に嵌合溝を形成し、該嵌合溝の中央に貫通孔を穿設し、かつ側面に貫通孔を穿設してなるハウジングと、
ゴルフ練習器に回動自在に設けられる円盤部の上面中央に中空の第１円筒状部を一体に成型し、該第１円筒状部上に第２円筒状部を一体に成型してなり、該第１円筒状部は側面に孔部を穿設し、円周上の対向する位置にそれぞれスライド溝を形成し、かつ上端面に嵌合部を形成し、該第２円筒状部は下端縁部に螺刻してねじ山を形成するとともに、円周上の対向する位置にそれぞれ第１位置決め溝と、第２位置決め溝と、第３位置決め溝と、第４位置決め溝とを形成してなる回転盤と、
一端に球体部を設け、他端に貫通孔を穿設してなるアームとを具えるとともに、
ベアリングを該回転盤の第１円筒状部の底端部に嵌挿し、該回転盤の嵌合部をハウジングの貫通孔に嵌合させて螺合リングで締結し、該アームの貫通孔を穿設した一端を該ハウジングの貫通孔から挿入して該回転盤の孔部に挿設し、更に固定ピンを該回転盤の第１円筒状部のスライド溝から挿入して、該アームの一端に形成された貫通孔に挿通させ、該アームを該回転盤に回動自在に設け、また弾性体を該高さ調節ダイヤルのスリーブに嵌挿し、該スリーブを該回転盤の第２円筒状部に嵌着して該スリーブの係合突起が該第２円筒状部の該第１位置決め溝に係合するように構成することを特徴とするゴルフ練習器のボール高さ調整装置。
【考案の詳細な説明】
【技術分野】
【０００１】
この考案は、ゴルフ練習器に関し、特に練習用のボールとなる球体部の高さを調節するゴルフ練習器のボール高さ調節装置に関する。
【背景技術】
【０００２】
現在に至り、レジャーを楽しむ風潮が高まっている。このような中にあって、ゴルフは個人で行う練習にしても、数人で行う試合にしても、十分な運動効果が得られるため人気が高いスポーツになっている。通常ゴルフの初心者は練習場で打撃練習を行う。このため個人が家庭で練習できるゴルフ練習器が研究開発され、市場で販売されている。かかるゴルフ練習器は練習器の前端に練習用のボールが設けられており、使用者はそのボールを打つことにより打撃練習を行うことができる。
【０００３】
但し、従来のゴルフ練習器は練習用のボールの高さを調節する機能がなく、練習用のボールは地面に近接した位置に設置される。しかも、初心者が完全に正確なフォームでクラブを振ることができないため、初心者がかかる構造のゴルフ練習器を使用した場合は、クラブを地面にぶつけて器具の損傷を招く場合もあり、順調な練習が難しくなる。よって、上述の構造のゴルフ練習器は、使用者にとって不便であるのみならず、練習の意欲を低下させることにもなる。
【考案の開示】
【考案が解決しようとする課題】
【０００４】
この考案は、簡易な操作で練習用のボールとなる球体部の高さを調節できるゴルフ練習器のボール高さ調節装置を提供することを課題とする。
【課題を解決するための手段】
【０００５】
そこで、本考案の考案者は従来の技術に見られる欠点に鑑みて鋭意研究を重ねた結果、半球状を呈し、内側にスリーブを一体に形成してなり、該スリーブには、外周壁に係合突起を形成してなる高さ調節ダイヤルと、上面壁に嵌合溝を形成し、該嵌合溝の中央に貫通孔を穿設し、かつ側面に貫通孔を穿設してなるハウジングと、ゴルフ練習器に回動自在に設けられる円盤部の上面中央に中空の第１円筒状部を一体に成型し、該第１円筒状部上に第２円筒状部を一体に成型してなり、該第１円筒状部は側面に孔部を穿設し、円周上の対向する位置にそれぞれスライド溝を形成し、かつ上端面に嵌合部を形成し、該第２円筒状部は下端縁部に螺刻してねじ山を形成するとともに、円周上の対向する位置にそれぞれ第１位置決め溝、第２位置決め溝、第３位置決め溝、及び第４位置決め溝を形成してなる回転盤と、一端に球体部を設け、他端に貫通孔を穿設してなるアームと、該回転盤の第１円筒状部の底端部に嵌挿するベアリングとを具えてなるゴルフ練習器のボール高さ調整装置の構造によって課題を解決できる点に着眼し、かかる知見に基づいて本考案を完成させた。
【０００６】
以下、この考案について具体的に説明する。
請求項１に記載するゴルフ練習器のボール高さ調整装置は、半球状を呈し、内側にスリーブを一体に形成してなり、該スリーブには、外周壁に係合突起を形成してなる高さ調節ダイヤルと、
上面壁に嵌合溝を形成し、該嵌合溝の中央に貫通孔を穿設し、かつ側面に貫通孔を穿設してなるハウジングと、
ゴルフ練習器に回動自在に設けられる円盤部の上面中央に中空の第１円筒状部を一体に成型し、該第１円筒状部上に第２円筒状部を一体に成型してなり、該第１円筒状部は側面に孔部を穿設し、円周上の対向する位置にそれぞれスライド溝を形成し、かつ上端面に嵌合部を形成し、該第２円筒状部は下端縁部に螺刻してねじ山を形成するとともに、円周上の対向する位置にそれぞれ第１位置決め溝と、第２位置決め溝と、第３位置決め溝と、第４位置決め溝とを形成してなる回転盤と、
一端に球体部を設け、他端に貫通孔を穿設してなるアームとを具えるとともに、
ベアリングを該回転盤の第１円筒状部の底端部に嵌挿し、該回転盤の嵌合部をハウジングの貫通孔に嵌合させて螺合リングで締結し、該アームの貫通孔を穿設した一端を該ハウジングの貫通孔から挿入して該回転盤の孔部に挿設し、更に固定ピンを該回転盤の第１円筒状部のスライド溝から挿入して、該アームの一端に形成された貫通孔に挿通させ、該アームを該回転盤に回動自在に設け、また弾性体を該高さ調節ダイヤルのスリーブに嵌挿し、該スリーブを該回転盤の第２円筒状部に嵌着して該スリーブの係合突起が該第２円筒状部の該第１位置決め溝に係合するように構成する。
【考案の効果】
【０００７】
この考案によるゴルフ練習器のボール高さ調節装置は、練習用のボールとなる球体部の高さを必要に応じて簡易な操作で調整することができ、球体部の高さが調整できないことによって発生する練習の失敗を未然に防ぎ、ゴルフ練習器を利用して行うゴルフの練習の効果を高める利点を有する。
【考案を実施するための最良の形態】
【０００８】
この考案は、ゴルフ練習器の練習用のボールとなる球体部の高さを調節するゴルフ練習器のボール高さ調節装置を提供するものであって、半球状を呈し、内側にスリーブを一体に形成してなり、該スリーブには、外周壁に係合突起を形成してなる高さ調節ダイヤルと、上面壁に嵌合溝を形成し、該嵌合溝の中央に貫通孔を穿設し、かつ側面に貫通孔を穿設してなるハウジングと、ゴルフ練習器に回動自在に設けられる円盤部の上面中央に中空の第１円筒状部を一体に成型し、該第１円筒状部上に第２円筒状部を一体に成型してなり、該第１円筒状部は側面に孔部を穿設し、円周上の対向する位置にそれぞれスライド溝を形成し、かつ上端面に嵌合部を形成し、該第２円筒状部は下端縁部に螺刻してねじ山を形成するとともに、円周上の対向する位置にそれぞれ第１位置決め溝、第２位置決め溝、第３位置決め溝、及び第４位置決め溝を形成してなる回転盤と、一端に球体部を設け、他端に貫通孔を穿設してなるアームと、該回転盤の第１円筒状部の底端部に嵌挿するベアリングとによって構成する。
かかるゴルフ練習器のボール高さ調節装置の構造と特徴を詳述するために具体的な実施例を挙げ、図示を参照にして以下に説明する。
【実施例】
【０００９】
図１は、この考案によるゴルフ練習器に配置するボール高さ調節装置（１００）の分解図であって、図２は、ボール高さ調節装置（１００）を配したゴルフ練習器の斜視図である。図面によれば、ゴルフボールの高さ調整装置（１００）は、ゴルフ練習器（１０１）上に設けられ、高さ調節ダイヤル（１０）と、ハウジング（２０）と、回転盤（３０）と、アーム（４０）などからなる。
【００１０】
該高さ調節ダイヤル（１０）の外形は半球状を呈し、内側にはスリーブ（１１）を一体に形成してなる係合突起（１２）を形成する。
【００１１】
該ハウジング（２０）は、上面に形成した嵌合溝（２１）と、該嵌合溝（２１）の中央に穿設した貫通孔（２２）と、側面に穿設したアーム貫通孔（２３）とを具えてなる。
【００１２】
該回転盤（３０）は、ゴルフ練習器に回動自在に設けられる円盤部（３０）上面の中央に中空の第１円筒状部（３１）を形成する。該第１円筒状部（３１）は側面に形成した孔部（３２）と、円周上の対向する位置にそれぞれ形成するスライド溝（３３）と、上端面に形成した嵌合部（３４）とを具えてなる。該嵌合部（３４）は上面に直径が第１円筒状部（３１）より狭い第２円筒状部（３５）を設ける。第２円筒状部（３５）は下端縁部に螺刻し、ねじ山（３６）を形成するとともに、円周上の対向する位置にそれぞれ第１位置決め溝（３５１）と、第２位置決め溝（３５２）と、第３位置決め溝（３５３）と、第４位置決め溝（３５４）とを形成する。
【００１３】
アーム（４０）は、所定の長さを有する桿体であって、一端に練習用のボールとなる球体部（４１）を設け、他端に貫通孔（４２）を穿設してなる。
【００１４】
上述の部材を組み立てる場合は、ベアリング（５０）を回転盤（３０）の第１円筒状部（３１）の底端部に嵌挿し、回転盤（３０）の嵌合部（３４）をハウジング（２０）の貫通孔（２２）に嵌合させ、螺合リング（５１）で締結する。またアーム（４０）は、貫通孔（４２）を穿設した一端をハウジング（２０）の貫通孔（２３）から挿入し、回転盤（３０）の孔部（３２）に挿設する。更に固定ピン（５３）を回転盤（３０）の第１円筒状部（３１）のスライド溝（３３）から挿入し、アーム（４０）の一端に形成された貫通孔（４２）に挿通させて、アーム（４０）を回転盤（３０）に回動自在に設ける。またコイルバネである弾性体（５２）を高さ調節ダイヤル（１０）のスリーブ（１１）に嵌挿し、該スリーブ（１１）を回転盤（３０）の第２円筒状部（３５）に嵌着する。よって、該スリーブ（１１）の係合突起（１２）が第２円筒状部（３５）の第１位置決め溝（３５１）に係合する。
【００１５】
以上の構成によるボール高さ調整装置は、図３に開示するように、高さ調節ダイヤル（１０）のスリーブ（１１）に形成された係合突起（１２）が回転盤（３０）の第１位置決め溝（３５１）に係合した状態において、アーム（４０）の一端に設けられた球体部（４１）と地面との距離は０ｍｍとなる。
【００１６】
図４に開示するように、球体部（４１）と地面との距離を調整する場合は、高さ調整ダイヤル（１０）を押圧してスリーブ（１１）の係合突起（１２）を回転盤（３０）の第２位置決め溝（３５２）に移動させる。即ち、アーム（４０）は、一端がスリーブ（１１）に当止し、ハウジング（２０）に形成した貫通孔（２３）を通過して外部に延伸した一端に球体部（４１）が設けられている。高さ調整ダイヤル（１０）を押圧してスリーブ（１１）を下方に移動させると、アーム（４０）の一端に挿入した固定ピン（５３）がスライド溝（３３）内を下方に移動し、貫通孔（２３）を形成したハウジング（２０）の外周壁の該貫通孔（２３）下端縁部にあたる部分を支点として、アーム（４０）の該貫通孔（２３）から外部に延伸する部分が上方に移動する。この場合、アーム（４０）の一端に設けられた球体部（４１）と地面との距離は約1０ｍｍとなる。
【００１７】
図５に開示するように、球体部（４１）と地面との距離を更に調整する場合は、高さ調節ダイヤル（１０）を下方に押圧し、スリーブ（１１）の係合突起（１２）を回転盤（３０）の第３位置決め溝（３５３）に移動させる。この場合、スリーブ（１１）が更に下方に押圧され、貫通孔（２３）を形成したハウジング（２０）の外周壁の該貫通孔（２３）の下端縁部にあたる部分を支点として、アーム（４０）の該貫通溝（２３）から外部に延伸する部分が更に上方に移動する。この場合、アーム（４０）の一端に設けられた球体部（４１）と地面との距離は約２０ｍｍとなる。
【００１８】
図６に開示するように、球体部（４１）と地面との距離を図５に開示する状態から更に調整する場合には、高さ調節ダイヤル（１０）を下方に押圧し、スリーブ（１１）の係合突起（１２）を回転盤（３０）の第４位置決め溝（３５４）に移動させる。この場合、スリーブ（１１）が更に下方に押圧され、貫通孔（２３）を形成したハウジング（２０）の外周壁の該貫通孔（２３）の下端縁部にあたる部分を支点として、アーム（４０）の該貫通孔（２３）から外部に延伸する部分が更に上方に移動する。この場合、アーム（４０）の一端に設けられた球体部（４１）と地面との距離は約３０ｍｍとなる。係る高さ調整方法を利用し、且つ使用者の熟練度に合わせゴルフ練習器（１０１）のボールの高さを調節することができる。
【００１９】
図７に、高さ調節ダイヤル（１０）のスリーブ（１１）に形成した係合突起（１２）と、回転盤（３０）に形成した第１位置決め溝（３５１）と、第２位置決め溝（３５２）と、第３位置決め溝（３５３）と、第４位置決め溝（３５４）の関係を開示する。即ち、この考案においては、上述の通り、回転盤（３０）に形成した第１位置決め溝（３５１）と、第２位置決め溝（３５２）と、第３位置決め溝（３５３）と、第４位置決め溝（３５４）に、高さ調節ダイヤル（１０）のスリーブ（１１）に形成した係合突起（１２）が係止して、アーム（４０）が下方に押圧された場合、それぞれ異なる球体部（４１）の高さが得られる。
【図面の簡単な説明】
【００２０】
【図１】この考案によるゴルフ練習器のボール高さ調節装置の構造を示した分解図である。
【図２】図１に開示するゴルフ練習器のボール高さ調節装置の外観を示した斜視図である。
【図３】図１に開示するゴルフ練習器のボール高さ調節装置であって、球体部と地面との距離が略なくなるように調整した状態を示した断面図である。
【図３Ａ】図３に開示する構造の局部拡大断面図である。
【図４】図１に開示するゴルフ練習器のボール高さ調節装置であって、球体部と地面との距離が約１０ｍｍになるように調整した状態を示した断面図である。
【図４Ａ】図４に開示する構造の局部拡大断面図である。
【図５】図１に開示するゴルフ練習器のボール高さ調節装置であって、球体部と地面との距離が約２０ｍｍになるように調整した状態を示した断面図である。
【図５Ａ】図５に開示する構造の局部拡大断面図である。
【図６】図１に開示するゴルフ練習器のボール高さ調節装置であって、球体部と地面との距離が約３０ｍｍになるように調整した状態を示した断面図である。
【図６Ａ】図６に開示する構造の局部拡大断面図である。
【図７】この考案における第２円筒状部に形成したそれぞれの位置決め溝を示した一部切り欠き説明図である。
【符号の説明】
【００２１】
１０         高さ調整ダイヤル
１００      高さ調整装置
１０１      ゴルフ練習器
１１         スリーブ
１２         係合突起
２０         ハウジング
２１         嵌合溝
２２         貫通孔
２３         貫通孔
３０         回転盤
３１         第１円筒状部
３２         孔部
３３         スライド溝
３４         嵌合溝
３５         第２円筒状部
３５１      第１位置決め溝
３５２      第２位置決め溝
３５３      第３位置決め溝
３５４      第４位置決め溝
３６         ねじ山
４０         アーム
４１         球体部
４２         貫通孔
５０         ベアリング
５１         螺合リング
５２         弾性体
５３         固定ピン
【図１】
0003102759.tif 000003
【図２】
0003102759.tif 000004
【図３】
0003102759.tif 000005
【図３Ａ】
0003102759.tif 000006
【図４】
0003102759.tif 000007
【図４Ａ】
0003102759.tif 000008
【図５】
0003102759.tif 000009
【図５Ａ】
0003102759.tif 000010
【図６】
0003102759.tif 000011
【図６Ａ】
0003102759.tif 000012
【図７】
0003102759.tif 000013